(57)【要約】      （修正有）【課題】従来、ウキで釣る仕掛けは、遠投する場合、重さが必要で、重くすると魚の当たりが取りにくくなり、また、遠投すると仕掛けが絡み易かった。そこで、軽量で、かつ仕掛けの絡みを防止する天秤を提供する。【解決手段】ウキと天秤の両方の機能を待たせる事により、遠投しても仕掛けが絡みにくく、魚の当たりが良くわかる釣りができる。【選択図】図７
2011160781.tif 000002
【特許請求の範囲】
【請求項１】
浮力のある魚釣り用の天秤
【発明の詳細な説明】
【技術分野】
【０００１】  本発明は、魚釣り用のウキ機能を持つ天秤に関する。
【背景技術】
【０００２】  従来、浮力のある天秤を使って魚を釣る方法が見当たらない。
【発明の開示】
【発明が解決しようとする課題】
【０００３】  遠投して釣りをする場合、仕掛けの絡みを防止するのが課題であるが、投げ釣りでは仕掛けの絡み防止に天秤を使うのが一般的である。ウキを使う釣りでもウキと別に天秤を使う事で仕掛けの絡みを防止する事がある。しかし、従来のように仕掛けの絡みを防ぐ手法として天秤を使うと、ウキと別に付加して使うため重量が増え、軽量な仕掛けが作れない。また、撒き餌をする場合も、水面付近にできず、浅くしても水面下になる。
【課題を解決するための手段】
【０００４】  本発明の、ウキ天秤は投入時のみ弓状になり天秤として機能する。着水後は直線になり、道糸と、ハリスや仕掛けは直結された完全な引き通しと成る為、糸と天秤の摩擦は少なく、当たりを取るウキを付加すればウキ天秤の負荷は魚等に伝わりにくく、魚信が当たりを取るウキに直接伝わる軽量な仕掛けとなる。撒き餌カゴを付加すれば水面で撒き餌できる。
【発明の効果】
【０００５】  遠投するには重量が必要だが、釣りをする場合できれば仕掛けが軽量の方が有利である。本発明ではウキ天秤自身は重量があっても完全な引き通しの仕掛けとなるため対象魚に重量を感じさせないようにできる。水面で撒き餌すれば、広範囲に餌を撒ける。
【発明を実施するための最良の形態】
【０００６】  以下、本発明の実施の形態を図１〜図８に基づいて説明する。【０００７】  図１〜図２において、１、１Ｂはウキ天秤を構成する硬質のステンレス等の線材で、硬質ステンレス材の場合０．８〜１ｍｍが適当だが同等の性質を持つものなら素材は選ばない。２、２Ｂは浮力体で２は糸や撒き餌カゴ等を支える支点に付加した形態のもの、２Ｂは線材全体をカバーしたものを示す。２Ｂの素材は線材が湾曲する時に線材と同様に湾曲するように弾力のある物であることが必要である。３、３Ｂは環状にした構造でここに道糸を通す。４、４Ｂは撒き餌カゴや錘を取り付ける部分。５、５Ｂはハリス等、仕掛け側釣り糸を通す部分で、３、３Ｂより直径を大きくする。６は撒き餌用のカゴをウキ天秤に組み込んだ場合の位置を示す。カゴの構造は図６のようなロケット型。また４の位置のウキを省略した場合はその位置になる。【０００８】  図３は水面付近の対象魚を釣る場合の仕掛けで、７は釣り糸、８、９は当たりを取るためのウキで個数は任意で良い。１０はハリス及び釣り針。本発明に付加して使う任意の仕掛け。【０００９】  図４は水面下の対象魚を釣る場合の仕掛けで、７、１０は図３と同じ働きのもの。１１は当たりを取る遊動ウキ、１２はシモリ玉、１３はより戻し等の連結部、１１の遊動ウキの糸が通る穴の直径は１２のシモリ玉は通さず１３のより戻し等は通す大きさのもの、１２のシモリ玉は図１、２の環３、３Ｂは通らず、環５、５Ｂは通る大きさ、１３のより戻し等は環５、５Ｂを通る大きさ、図３と同じく本発明に付加して使う任意の仕掛け。【００１０】  図５は撒き餌用のカゴで大きさ等は任意【００１１】  図６は一般的なロケット型の撒き餌カゴ【００１２】  図７は水面付近の対象魚を釣る場合で、本発明を含む全体の仕掛けの構成を示すもの。１５は道糸、１２はシモリ玉で図４と同じ物、１３はより戻し等の接続具で図４と同じ物、１６は本発明の内、図１で示す形状のもの。１７は図３で示す仕掛け。１８は図５で示す市販の撒き餌用カゴで、少しずつ撒き餌する場合は図６の形状がよい。【００１３】  図８は水面下の対象魚を釣る場合で、図７と違うのは１７で示す仕掛けの代わりに２０で示す錘のついた仕掛けを使う事でこの仕掛けは前述の図４で示している。１９は遊動ウキを止める装置で一般的なもの。【００１４】  以下上記構成の動作を説明する。水面付近の対象魚の場合、図１、図２の環状部４、４Ｂに取り付けた撒き餌カゴに詰めた餌や錘の重さ、またはウキ天秤に組み込まれたカゴの場合も詰めた餌の重さにより、投入時ウキ天秤は湾曲しながら飛び出していく、この場合図７の道糸１５と仕掛け１７は天秤によりある程度の間隔が開く。飛行中は湾曲が緩み、更に間隔は広くなる。着水時はカゴや錘部から着水し、ウキ天秤は直線に戻ろうとするので、仕掛け１７を前方に跳ね飛ばすようになり、投入時から飛行時を経て着水時まで仕掛け部と道糸の絡みを防止する。【００１５】  着水後、仕掛け１７は水面に浮かび針を水面付近に保持する。対象魚が喰い付き引っ張ると、より戻し等の部分はウキ天秤の環状部５を通過するので食い込みも良く、魚信も分かりやすくなる。【００１６】  水面下の対象魚の場合前述と同じ原理で、投入時から飛行��を経て着水時まで仕掛け部と道糸の絡みを防止する。着水後は図４の１４の錘により図８の仕掛け２０は遊動ウキ１１を残して沈下していき、１９のウキ止めに道糸側のシモリ１２が引っかかり環状部５、５Ｂを通過してウキ１１に引っかかり停止し、既定の水深を保持する。【００１７】  既定の水深で対象魚が喰い付けば通しウキ１１に反応が出て喰い付きが分かる。この場合もウキ天秤の負荷は対象魚に伝わらないので、軽量な仕掛けを作れる。【００１８】  本発明は図１、図２で示す構造の部分で、浮力のある直線状の天秤である。天秤は弾力があり、力を加えれば湾曲するが力が抜けると直線状に戻る構造のもので、この構造を構成する事ができれば素材は限定しない。環３、３Ｂ、４、４Ｂ、５、５Ｂの輪の方向は限定しない。また水面付近のみを対象とする場合環５、５Ｂの直径は環３、３Ｂと同じでも良い。なお、天秤に付加する浮力体の個数、位置は限定しないし、着脱可能であっても、使用時にこの構造であれば本発明に含まれる
【図面の簡単な説明】
【００１９】
【図１】本発明の実施形態を示す浮力体部を分散した図
【図２】本発明の実施形態を示す浮力体部を全面に施した図
【図３】水面付近の対象魚の付帯仕掛け図
【図４】水面下の対象魚の付帯仕掛け図
【図５】付帯の撒き餌カゴ図
【図６】付帯のロケット型撒き餌カゴ図
【図７】水面付近の対象魚の仕掛け全体図
【図８】水面下の対象魚の仕掛け全体図
【符号の説明】
【００２０】１      ウキ天秤構造線材
１Ｂ    ウキ天秤構造線材
２      浮力体
２Ｂ    浮力体
３      道糸側環状部
３Ｂ    道糸側環状部
４      撒き餌カゴ等取り付け部
４Ｂ    撒き餌カゴ等取り付け部
５      仕掛け側環状部
５Ｂ    仕掛け側環状部
６      撒き餌カゴ組み込み時位置
７      仕掛け用釣り糸
８      当たり取り用ウキ
９      当たり取り用ウキ
１０    ハリス及び釣り針
１１    遊動ウキ
１２    シモリ玉
１３    より戻し等連結部
１４    １１の遊動ウキに適合する錘
１５    道糸
１６    本発明のうち図１で示すもの
１７    図３で示す水面付近対象魚の仕掛け
１８    図５で示す撒き餌用カゴ
１９    遊動ウキ止め装置
２０    図４で示す水面下対象魚の仕掛け
【図１】
2011160781.tif 000003
【図２】
2011160781.tif 000004
【図３】
2011160781.tif 000005
【図４】
2011160781.tif 000006
【図５】
2011160781.tif 000007
【図６】
2011160781.tif 000008
【図７】
2011160781.tif 000009
【図８】
2011160781.tif 000010